(57)【特許請求の範囲】
【請求項１】
複数の基材を積層してなる積層体により構成され、
ボイスコイルボビンへ取り付けるための取付孔を有すると共に、前記積層体の中心に対して前記取付孔の中心が偏心した形状を有し、
前記複数の基材のうち少なくとも一つの基材において、前記取付孔の前記中心から前記積層体の外縁までの距離が大きい側には開口が設けられ、前記開口は前記積層体を貫通していないことを特徴とする偏心型のスピーカー装置用振動板。
【請求項２】
前記積層体はコーン状の形状を有し、
前記開口は、前記少なくとも一つの基材の外周部に設けられていることを特徴とする請求項１に記載の偏心型のスピーカー装置用振動板。
【請求項３】
前記開口は、前記少なくとも一つの基材の前記外周部に沿って且つ適宜の間隔をおいて複数設けられていることを特徴とする請求項２に記載の偏心型のスピーカー装置用振動板。
【請求項４】
前記開口の大きさは、前記取付孔の前記中心を基準としたときに、前記中心から前記積層体の前記外縁までの距離が最も大きい側の前記積層体の部分の慣性モーメントの大きさと、前記中心から前記積層体の前記外縁までの距離が最も小さい側の前記積層体の部分の慣性モーメントの大きさとが略同一となる大きさに設定されていることを特徴とする請求項１乃至３のいずれか一項に記載の偏心型のスピーカー装置用振動板。
【請求項５】
前記複数の基材は各々比重が異なる素材にて形成され、
前記開口は、前記複数の基材のうち前記比重の最も大きい基材に設けられていることを特徴とする請求項１に記載の偏心型のスピーカー装置用振動板。
【請求項６】
請求項１乃至５のいずれか一項に記載の偏心型のスピーカー装置用振動板と、
ボイスコイルボビンと、を備え、
前記偏心型のスピーカー装置用振動板は、前記取付孔の中心を通る軸と前記ボイスコイルボビンの中心軸とが同軸上に位置するように、前記取付孔を通じて前記ボイスコイルボビンに取り付けられていることを特徴とするスピーカー装置。
【発明の詳細な説明】
【技術分野】
【０００１】
本発明は、偏心型のスピーカー装置用振動板の構造に関する。
【背景技術】
【０００２】
従来より、胴体の中心に対して、ボイルコイルボビンに取り付けられるときに用いられる取付孔の中心が偏心した形状を有する偏心型の振動板が知られている。
【０００３】
このような偏心型の振動板を有するスピーカー装置は、その取付孔の中心を通る中心軸がボイスコイルボビンの中心軸と同軸上に位置するように、その偏心型の振動板が取付孔を通じてボイスコイルボビンに取り付けられている。かかる構成により、偏心型の振動板に生じる分割振動を分散させることができ、ピークやディップの少ない周波数特性が得られると共に、高域指向特性の劣化を抑えることができるとされている。
【０００４】
しかしながら、このような偏心型の振動板は、上記したように、胴体の中心に対して、ボイルコイルボビンに取り付けられるときに用いられる取付孔の中心が偏心した形状を有する。このため、かかる偏心型の振動板では、その取付孔の中心を基準としたときに、取付孔の中心から胴体の外縁までの距離が大きい側の重量が、取付孔の中心から胴体の外縁までの距離が小さい側の重量より大きい。このため、かかる偏心型の振動板では、その重量の大きい側の胴体部分の慣性モーメントと、その重量の小さい側の胴体部分の慣性モーメントとのバランスが崩れている。これにより、その偏心型の振動板の振動時には、ローリング（横揺れ）が生じて、ボイスコイルボビンやボイスコイルボビンに巻かれたボイスコイル等の振動系部材と磁気回路とが機械的に当たり易くなり、その当たりによって異常音が生じてしまうという問題がある。
【０００５】
この種の課題を改善することが可能な偏心型振動板（スピーカー用偏心コーン）が、例えば特許文献１及び２に記載されている。
【０００６】
特許文献１及び２に記載のスピーカー用偏心コーンは、偏心孔に対して慣性モーメントが小さい側のコーン面の外周部に金属製のバランサーを貼り付けるようにしている。これにより、スピーカー用偏心コーン全体の慣性モーメントのアンバランスが是正され、上記したような問題が改善できるとされている。
【０００７】
なお、振動板の中心部に近い部位の磁束密度と遠い部位との磁束密度を不均一とすることによって、慣性モーメントのアンバランスを是正することが可能な偏心スピーカー装置が提案されている（例えば、特許文献３を参照）。
【０００８】
また、偏心型振動板ではないが、上記のような問題を改善することが可能なスピーカー装置用振動板、スピーカー装置及びスピーカー装置用エッジの一例が、それぞれ特許文献４乃至６に提案されている。
【０００９】
特許文献４に記載のスピーカー装置用振動板は、振動板のボイスコイル給電線を支持する側と反対側に他の部分より肉厚の厚い重量バランス部が一体成形されてなる。これにより、ローリングを抑制することができるとされている。
【００１０】
また、特許文献５に記載のスピーカー装置は、コーン状振動板の中心線に対して左右のコーン面半径が等しく、かつコーンカーブの曲率を非対称とし、さらにコーンカーブの曲率が大なる部分を受聴点側として設置してなる。かかる構成により、受聴点に対向する振動面の有効面積を増加させ、直接音の増加を図り、受聴点に対する指向特性を広げるようにしている。その結果、音質の向上を図ることができるとされている。
【００１１】
また、特許文献６に記載のスピーカー装置用エッジは、楕円形若しくは非円形の振動板の外周に結合され、その振動板の長径方向側の幅に比べ短径方向側の幅を狭くすると共に、全周に亘りどの位置においても展開した際の長さ寸法を等しくている。かかる構成により、スピーカー装置用エッジの全周に亘ってステフィネスを等価的に等しくすることができ、支持系のバランスが是正され、歪の少ない優れた性能を得ることができるとされている。
【００１２】
【特許文献１】特開平１１−１５５１８９号公報
【特許文献２】特許第３４０５１６０号公報
【特許文献３】特開２００２−３７４５９５号公報
【特許文献４】特開２００５−６１４０号公報
【特許文献５】特許第２９５２９２０号公報
【特許文献６】特許第３１３２２５３号公報
【発明の開示】
【発明が解決しようとする課題】
【００１３】
上記した特許文献１及び２に記載のスピーカー用偏心コーンでは、金属製のバランサーを設けることにより、慣性モーメントのアンバランスを是正し、振動系部材と磁気回路との機械的な当たりによる異常音の発生を防止できるという利点を有する。
【００１４】
しかしながら、かかるスピーカー用偏心コーンでは、金属製のバランサーを設けているので、その分だけ、スピーカー用偏心コーンの重量が増加して、スピーカー装置の感度（特に、高域における感度）が低下してしまうと共に、スピーカー用偏心コーンの製品コストが高くなってしまうという問題がある。
【００１５】
本発明が解決しようとする課題としては、上記のようなものが例として挙げられる。本発明は、偏心型のスピーカー装置用振動板の重量を増加させることなく、スピーカー装置の感度の向上を図ると共に、その製品コストを下げることが可能な偏心型のスピーカー装置用振動板及びスピーカー装置を提供することを課題とする。
【課題を解決するための手段】
【００１６】
請求項１に記載の発明は、偏心型のスピーカー装置用振動板であって、複数の基材を積層してなる積層体により構成され、ボイスコイルボビンへ取り付けるための取付孔を有すると共に、前記積層体の中心に対して前記取付孔の中心が偏心した形状を有し、前記複数の基材のうち少なくとも一つの基材において、前記取付孔の前記中心から前記積層体の外縁までの距離が大きい側には開口が設けられ、前記開口は前記積層体を貫通していないことを特徴とする。
【発明を実施するための最良の形態】
【００１７】
本発明の１つの実施形態では、偏心型のスピーカー装置用振動板は、複数の基材を積層してなる積層体により構成され、ボイスコイルボビンへ取り付けるための取付孔を有すると共に、前記積層体の中心に対して前記取付孔の中心が偏心した形状を有し、前記複数の基材のうち少なくとも一つの基材において、前記取付孔の前記中心から前記積層体の外縁までの距離が大きい側には開口が設けられ、前記開口は前記積層体を貫通していない。
【００１８】
上記の偏心型のスピーカー装置用振動板は、複数の基材を積層してなる積層体により構成され、ボイスコイルボビンへ取り付けるための取付孔を有すると共に、その積層体の中心に対して前記取付孔の中心が偏心した形状を有する。このように、かかる偏心型のスピーカー装置用振動板は、複数の基材を積層してなる積層体により構成されるため、１つの基材により構成された偏心型の振動板と比較して、当該偏心型のスピーカー装置用振動板の強度向上を図ることができる。好適な例では、各基材の形成材料としては、例えば抄紙などの紙系材料、ポリプロピレンなどの高分子系材料、クロス材などの繊維系材料、又はこれらの素材を含む複合材料などが好ましい。
【００１９】
また、かかる偏心型のスピーカー装置用振動板では、積層体を構成する複数の基材のうち少なくとも一つの基材において、取付孔の中心から積層体の外縁までの距離が大きい側には開口が設けられている。これにより、取付孔の中心を基準としたときに、積層体の重量過多の側、即ち、取付孔の中心から積層体の外縁までの距離が大きい側に対応する積層体の部分の重量を軽くすることができる。よって、取付孔の中心から積層体の外縁までの距離が大きい側に対応する積層体の部分の慣性モーメントと、取付孔の中心から積層体の外縁までの距離が小さい側に対応する積層体の部分の慣性モーメントとのアンバランスを改善（是正）することができる。よって、かかる偏心型のスピーカー装置用振動板を用いたスピーカー装置では、その振動時に、ローリング（横揺れ）が生じ難くなり、振動系部材と磁気回路との機械的な当たりは生じない。その結果、振動系部材と磁気回路との機械的な当たりによって生じる異常音が発生するようなことはない。
【００２０】
また、この偏心型のスピーカー装置用振動板では、積層体に開口を設けているので、その分だけ、偏心型のスピーカー装置用振動板の重量も軽くなり、これに伴ってスピーカー装置の感度（特に、高域の感度）を向上させることができる。また、かかる構成により、上記の特許文献１及び２などの振動板のようにバランサーを設ける必要がなくなるので、その分だけ、偏心型のスピーカー装置用振動板の製品コストを下げることができ、ひいてはスピーカー装置の製品コストを下げることも可能となる。
【００２１】
また、偏心型のスピーカー装置用振動板の慣性モーメントのアンバランスを改善し易くするため、前記積層体はコーン状の形状を有し、前記開口は、前記少なくとも一つの基材の外周部に設けられているのが好ましい。好適な例では、前記開口は、前記少なくとも一つの基材の前記外周部に沿って且つ適宜の間隔をおいて複数設けられているのが好ましい。
【００２２】
また、前記開口の大きさ（面積）は、偏心された積層体の形状に起因して生じる積層体の慣性モーメントのアンバランスを是正する大きさに設定されているのが好ましい。すなわち、前記開口の大きさ（面積）は、取付孔の中心を基準としたときに、その中心から積層体の外縁までの距離が最も大きい側の前記積層体の部分の慣性モーメントの大きさと、その中心から積層体の外縁までの距離が最も小さい側の前記積層体の部分の慣性モーメントの大きさとが略同一（同一を含む）となる大きさに設定されているのが好ましい。
【００２３】
また、積層体を構成する前記複数の基材は各々比重が異なる素材にて形成され、偏心型のスピーカー装置用振動板の慣性モーメントのアンバランスを是正する役割を果たす前記開口は、前記複数の基材のうち前記比重の最も大きい基材に設けられているのが好ましい。これにより、積層体に形成する当該開口の大きさ（面積）を小さくすることができる。
【００２４】
また、複数の基材ではなく１つの基材により偏心型の振動板が形成され、上記のような機能を有する開口が振動板を貫通している比較例を想定した場合、かかる比較例では、その振動時に貫通孔たる開口から空気が漏れて、放音側に放射された音波と、放音側と逆側に放射された音波とが相互に干渉し合い、スピーカー装置の感度が低下してしまうという問題が生じ得る。
【００２５】
この点、この偏心型のスピーカー装置用振動板は、複数の基材を積層してなる積層体により構成され、複数の基材のうち少なくとも一つの基材に開口が設けられ、その開口は積層体を貫通していない構造を有する。よって、この偏心型のスピーカー装置用振動板の振動時には、上記の比較例のような問題は生じることはなく、その開口に起因してスピーカー装置の感度が低下するようなことはない。
【００２６】
本発明の他の実施形態では、上記の偏心型のスピーカー装置用振動板と、ボイスコイルボビンと、を備え、前記偏心型のスピーカー装置用振動板は、前記取付孔の中心を通る軸と前記ボイスコイルボビンの中心軸とが同軸上に位置するように、前記取付孔を通じて前記ボイスコイルボビンに取り付けられている。これにより、偏心型のスピーカー装置用振動板を有するスピーカー装置を構成することができる。
【実施例】
【００２７】
以下、図面を参照して本発明の好適な実施例について説明する。
【００２８】
［スピーカー装置の構成］
図１に、本発明の実施例に係る偏心型の振動板８を含むスピーカー装置１００を、その中心軸Ｌ１を通る平面で切断したときの断面図を示す。
【００２９】
スピーカー装置１００は、図１に示すように、ヨーク１、マグネット２及びプレート３を含む磁気回路３０と、フレーム４、ボイスコイルボビン５、ボイスコイル６、ダンパー７、偏心型の振動板８、エッジ９及びキャップ１１を含む振動系部材３１と、を有して構成される。なお、本発明では、スピーカー装置の構造及び駆動方式などに限定はない。
【００３０】
まず、磁気回路３０の構成について説明する。
【００３１】
本磁気回路３０は、外磁型の磁気回路として構成されている。
【００３２】
ヨーク１は、略円柱状の形状をなすポール部１ａと、そのポール部１ａの外周壁の下端部から外側に延在するように形成されたフランジ部１ｂと、を有する。
【００３３】
マグネット２は、略環状の形状をなし、フランジ部１ｂ上に取り付けられている。マグネット２上には、略環状の形状を有するプレート３が取り付けられている。そして、プレート３の内周壁とポール部１ａの外周壁との間隙には磁気ギャップ３２が形成されている。
【００３４】
次に、振動系部材３１の構成について説明する。
【００３５】
フレーム４は、様々なスピーカー装置用構成部材を支持する機能を有する。フレーム４は、略椀状の形状及び階段状の断面形状をなし、第１段部４ａと、当該第１段部４ａの上側に且つ外側に設けられた第２段部４ｂと、当該第２段部４ｂの上側に且つ外側に設けられた第３段部４ｃと、を有している。フレーム４の要素である第１段部４ａは、プレート３上に取り付けられている。これにより、フレーム４は、磁気回路３０に結合されている。
【００３６】
ボイスコイルボビン５は、略円筒状の形状をなしている。ボイスコイルボビン５の下端部付近は、ヨーク１のポール部１ａの上端部付近を覆っている。このため、ボイスコイルボビン５の内周壁の下端部付近は、ポール部１ａの外周壁の上端部付近と対向している一方、ボイスコイルボビン５の外周壁の下端部付近は、プレート３の内周壁及びマグネット２の内周壁の一部と夫々対向している。
【００３７】
ボイスコイル６は、ボイスコイルボビン５の外周壁の下端部付近に巻かれており、ボイスコイル６の外周壁はプレート３の内周壁と対向している。ボイスコイル６は、１つの配線からなり、図示しないプラス及びマイナスのリード線を夫々有している。プラス側のリード線はＬ（又はＲ）チャンネル信号の入力配線であり、マイナス側のリード線はグランド（ＧＮＤ：接地）信号の入力配線である。プラス及びマイナスの各リード線は、それぞれフレーム４の適当な位置に設けられた図示しない端子に電気的に接続されている一方、端子は、図示しないアンプ側の出力配線にも電気的に接続されている。これにより、ボイスコイル６には、端子、プラス及びマイナスの各リード線を介してアンプ側から１チャンネル分の信号や電力が入力される。
【００３８】
ダンパー７は、略環状の形状をなし、ボイスコイルボビン５等を弾性的に支持する、複数の同心円状の波型の弾性部を含んで構成される。ダンパー７の内周縁部は、ボイスコイルボビン５の外周壁の上端部付近に取り付けられている一方、ダンパー７の外周縁部は、フレーム４の第２段部４ｂ上に取り付けられている。
【００３９】
偏心型の振動板８は、入力信号に応じた音波を放射する機能を有する。偏心型の振動板８は、コーン状の形状を有し、自身をボイスコイルボビン５へ取り付けるときに用いられる取付孔８ｃを備えている。偏心型の振動板８の内周縁部８ｂは、ボイスコイルボビン５の外周壁の上端部に取り付けられている。これにより、ボイスコイルボビン５の中心軸でもあるスピーカー装置１００の中心軸Ｌ１と、偏心型の振動板８の取付孔８ｃの中心を通る軸Ｌ２とが同軸上に位置している。一方、偏心型の振動板８の外周部８ｄには、略Ω状の断面形状を有するエッジ９が取り付けられている。エッジ９の外周縁部はフレーム４の第３段部４ｃ上に取り付けられている。なお、偏心型の振動板８の詳細な構成は後述する。
【００４０】
キャップ１１は、ドーム状の形状をなし、その外周端部付近は、放音側となる偏心型の振動板８の内周部の放音面上に取り付けられている。このため、キャップ１１は、放音側から水分や異物などが磁気回路３０側に侵入するのを防止する役割を果たす。
【００４１】
以上の構成を有するスピーカー装置１００において、アンプ側から出力された信号及び電力は、端子並びにボイスコイル６のプラス及びマイナスのリード線を介してボイスコイル６へ供給される。これにより、磁気ギャップ３２内でボイスコイル６に駆動力が発生し、偏心型の振動板８をスピーカー装置１００の中心軸Ｌ１方向に振動させる。こうして、スピーカー装置１００は、矢印Ｙ１の方向に音波を放射する。
【００４２】
[偏心型の振動板の構成]
次に、図２乃至図４を参照して、本発明の実施例に係る偏心型の振動板８の構成について説明する。
【００４３】
図２は、図１の放音方向Ｙ１となる偏心型の振動板８の放音面と逆側の背面側から観察したときの当該偏心型の振動板８の斜視図を示す。図３は、図１の放音方向Ｙ１となる偏心型の振動板８の放音面と逆側の背面側から観察したときの当該偏心型の振動板８の平面図を示す。なお、図１乃至図３において、直線Ｌ２は、取付孔８ｃの中心Ｏ１を通る軸であると共に、直線Ｌ３は、偏心型の振動板８を構成する積層体の中心Ｏ２と、取付孔８ｃの中心Ｏ１とを通る直線であり、直線Ｌ４は、積層体の中心Ｏ２を通り直線Ｌ２に平行な当該積層体８ａの中心軸である。図４（ａ）は、図２及び図３の切断線Ａ−Ａ’に沿った偏心型の振動板８の積層構造を示す要部断面図であり、特に、偏心型の振動板８を構成する積層体の要素である複数の基材のうち少なくとも１つの基材に設けられた開口を通る位置で切断したときの要部断面図である。
【００４４】
偏心型の振動板８は、基本的な構成は上述した通りであり、偏心型の振動板８は、コーン状の形状をなし、図４（ａ）に示すように、複数の基材、放音側と逆側に配置される第１の基材８０と、放音側に配置される第３の基材８２と、第１の基材８０と第３の基材８２の間に配置される第２の基材８１との積層構造（３層構造）を有する積層体８ａにより構成されている。好適な例では、第１の基材８０、第２の基材８１及び第３の基材８２の形成材料としては、例えば抄紙などの紙系材料、ポリプロピレンなどの高分子系材料、クロス材などの繊維系材料、又はこれらの素材を含む複合材料などが好ましい。
【００４５】
また、偏心型の振動板８は、平面的に見たときに、自身を構成する積層体８ａの中心Ｏ２に対して取付孔８ｃの中心Ｏ１が一致しない形状、すなわち偏心した形状を有する。つまり、かかる偏心型の振動板８では、取付孔８ｃの中心Ｏ１と積層体８ａの中心Ｏ２との距離がｄ１（＞０）に設定され、直線Ｌ３上において取付孔８ｃの中心Ｏ１（又は、取付孔８ｃの中心Ｏ１を通る軸Ｌ２）が積層体８ａの中心Ｏ２（又は、積層体８ａの中心Ｏ２を通る中心軸Ｌ４）からずれた位置、すなわち偏心した位置に設定されている。
【００４６】
これにより、かかる偏心型の振動板８では、直線Ｌ３上において、取付孔８ｃの中心Ｏ１から積層体８ａの中心Ｏ２へ向かう方向（破線矢印Ｙ２方向）の積層体８ａの外縁（外周縁部）までの距離はｄ２になっていると共に、取付孔８ｃの中心Ｏ１から積層体８ａの中心Ｏ２へ向かう方向と逆方向（実線矢印Ｙ３方向）の積層体８ａの外縁（外周縁部）までの距離はｄ３（＜ｄ２）となっている。
【００４７】
また、この偏心型の振動板８の積層体８ａを構成する、複数の基材、即ち、第１の基材８０、第２の基材８１及び第３の基材８２のうち第１の基材８０には、取付孔８ｃの中心Ｏ１から積層体８ａの外縁までの距離が大きい側（破線矢印Ｙ２方向）に、円形の平面形状を有する開口８０ａが複数設けられている。本例では、開口８０ａは、積層体８ａを構成する第１の基材８０の外周部に沿って且つ適宜の間隔をおいて複数設けられている。このため、その開口８０ａは偏心型の振動板８を構成する積層体８ａを貫通していない。
【００４８】
以上の構成を有する偏心型の振動板８は、図１に示すように、その取付孔８ｃの中心Ｏ１を通る軸Ｌ２がボイスコイルボビン５の中心軸Ｌ１と同軸上に位置するように、その取付孔８ｃを通じてボイスコイルボビン５の外周壁の上端部付近に取り付けられている。
【００４９】
次に、上記した本実施例に係る偏心型の振動板８の特有の作用効果について説明する。
【００５０】
一般的に、偏心型の振動板は、自身を構成する胴体の中心に対して、自身をボイスコイルボビンに取り付ける際に用いられる取付孔の中心が偏心した形状を有するので、取付孔の中心から外縁までの距離が大きい側の胴体部分の有効面積は、取付孔の中心から外縁までの距離が小さい側の胴体部分の有効面積よりも大きい。したがって、かかる振動板では、その取付孔の中心から外縁までの距離が大きい側の胴体部分の重量は、取付孔の中心から外縁までの距離が小さい側の胴体部分の重量よりも大きい。これにより、かかる振動板では、その取付孔の中心から外縁までの距離が大きい側の胴体部分の慣性モーメントが、取付孔の中心から外縁までの距離が小さい側の胴体部分の慣性モーメントより大きくなる。  その結果、かかる偏心型の振動板では、その形状に起因して、その取付孔の中心から外縁までの距離が大きい側の胴体部分の慣性モーメントと、取付孔の中心から外縁までの距離が小さい側の胴体部分の慣性モーメントとのバランスが崩れてしまうことになる。
【００５１】
このため、かかる偏心型の振動板の振動時には、その偏心型の振動板自体の慣性モーメントのアンバランスに起因してローリング（横揺れ）が生じ、ボイスコイルボビンやボイスコイルボビンに巻かれたボイスコイル等の振動系部材と磁気回路との機械的な当たりが生じ、これに伴って異常音が発生してしまうという問題がある。
【００５２】
そこで、そのような問題を改善するために、例えば、上記の特許文献１及び２では、振動板の取付孔の中心から外縁までの距離が小さい側の振動板の部分に金属製からなるバランサーを設けて、その取付孔の中心から外縁までの距離が大きい側の振動板の部分の慣性モーメントと、取付孔の中心から外縁までの距離が小さい側の振動板の部分の慣性モーメントとのバランスを改善するようにしている。これにより、慣性モーメントのアンバランスが是正されて、ローリングが抑制され、上記した異常音が生じ難くなるとされている。
【００５３】
しかしながら、このように偏心型の振動板にバランサーを設けると、その分だけ、偏心型の振動板の重量が増加して、スピーカー装置の感度（特に、高域における感度）が低下してしまうと共に、偏心型の振動板の製品コストが高くなってしまうという問題がある。
【００５４】
そこで、本実施例では、このような問題を解消すると共に、偏心した振動板の形状に起因して発生する慣性モーメントのアンバランスを是正して、ローリングを抑制し異常音の発生を防止するために、偏心型の振動板８を構成する積層体８ａの重量過多の側に開口を設けて、その積層体８ａの重量過多の側の重量を軽くする。なお、本発明において慣性モーメントのアンバランスの改善方法についての考え方は、上記した特許文献１及び２と略同様であるので、それらの特許文献を参照されたい。
【００５５】
具体的には、まず、本実施例の偏心型の振動板８は、複数の基材（即ち、第１の基材８０、第２の基材８１及び第３の基材８２）を積層してなる積層体８ａにより構成され、自身をボイスコイルボビン５に取り付けるための取付孔８ｃを有すると共に、その積層体８ａの中心Ｏ２に対して取付孔８ｃの中心Ｏ１が偏心された形状を有し、いわゆる偏心型の振動板を構成している。このように、本実施例の偏心型の振動板８は複数の基材よりなる積層構造を有するため、１つの基材により構成された偏心型の振動板と比較して、当該偏心型の振動板８の強度向上を図ることができる。
【００５６】
そして、前記複数の基材のうち少なくとも一つの基材（本例では、第１の基材８０）において、その取付孔８ｃの中心Ｏ１から積層体８ａの外縁（外周縁部）までの距離が大きい側には開口８０ａが設けられている。これにより、取付孔８ｃの中心Ｏ１を基準としたときに、積層体８ａの重量過多の側、即ち破線矢印Ｙ２方向に対応する積層体８ａの部分の重量を軽くすることができる。よって、破線矢印Ｙ２方向に対応する積層体８ａの部分の慣性モーメントと、実線矢印Ｙ３方向に対応する積層体８ａの部分の慣性モーメントとのアンバランスを改善（是正）することができる。よって、かかる偏心型の振動板８を用いたスピーカー装置１００では、その振動時に、ローリング（横揺れ）が生じ難くなり、振動系部材３１と磁気回路３０との機械的な当たりは生じない。よって、振動系部材３１と磁気回路３０との機械的な当たりによって生じる異常音が発生するようなことはない。
【００５７】
また、積層体８ａに開口８０ａを設けているので、その分だけ、偏心型の振動板８の重量も軽くなり、これに伴ってスピーカー装置１００の感度（特に、高域の感度）を向上させることができる。また、このような構成を採用すれば、上記の偏心型の振動板のようにバランサーを設ける必要がなくなるので、その分だけ、偏心型の振動板８の製品コストを下げることができ、ひいてはスピーカー装置１００の製品コストを下げることができる。
【００５８】
また、本実施例では、偏心型の振動板８の慣性モーメントのアンバランスを改善し易くするため、一般的な慣性モーメントの算術式に基づき、開口８０ａは、積層体８ａを構成する第１の基材８０の外周部（例えば、エッジ９と積層体８ａとの貼り付け部分付近）に設けられているのが好ましい。好適な例では、開口８０ａは、積層体８ａを構成する第１の基材８０の外周部に沿って且つ適宜の間隔をおいて複数設けられているのが好ましい。
【００５９】
また、各開口８０ａの大きさ（面積）は、偏心された積層体８ａの形状に起因して生じる積層体８ａの慣性モーメントのアンバランスを是正する大きさに設定されているのが好ましい。すなわち、各開口８０ａの大きさ（面積）は、取付孔８ｃの中心Ｏ１を基準としたときに、その中心Ｏ１から積層体８ａの外縁（外周縁部）までの距離が最も大きい側の積層体８ａの部分の慣性モーメントの大きさと、その中心Ｏ１から積層体８ａの外縁（外周縁部）までの距離が最も小さい側の積層体８ａの部分の慣性モーメントの大きさとが略同一（同一を含む）となる大きさに設定されているのが好ましい。
【００６０】
また、積層体８ａを構成する複数の基材（本例では、第１の基材８０、第２の基材８１及び第３の基材８２）は各々比重が異なる素材にて形成され、偏心型の振動板８の慣性モーメントのアンバランスを是正する役割を果たす開口は、前記複数の基材のうち比重の最も大きい基材に設けられているのが好ましい。これにより、積層体８ａに形成する当該開口の大きさ（面積）を小さくすることができる。
【００６１】
また、複数の基材ではなく１つの基材により偏心型の振動板が形成され、上記のような機能を有する開口が振動板を貫通している比較例を想定した場合、かかる比較例では、その振動時に貫通孔たる開口から空気が漏れて、放音側に放射された音波と、放音側と逆側に放射された音波とが相互に干渉し合い、スピーカー装置の感度が低下してしまうという問題が生じ得る。
【００６２】
この点、本実施例の偏心型の振動板８は、複数の基材、すなわち、第１の基材８０、第２の基材８１及び第３の基材８２を積層してなる積層体８ａにより構成され、前記複数の基材のうち第１の基材８０にのみ開口８０ａが設けられ、その開口８０ａは積層体８ａを貫通していない構造を有する。よって、偏心型の振動板８の振動時には、上記の比較例のような問題は生じることはなく、その開口８０ａに起因してスピーカー装置１００の感度が低下するようなことはない。なお、かかる構成に代えて、本発明では、そのような問題を改善するために、偏心型の振動板は、複数の基材を積層してなる積層体により構成され、前記複数の基材のうち少なくとも１つの基材に開口が設けられ、その開口は積層体を貫通していない構造としても構わない。
【００６３】
[変形例]
上記の実施例では、偏心型の振動板８において、積層体８ａを構成する複数の基材（本例では、第１の基材８０、第２の基材８１及び第３の基材８２）のうち、第１の基材８０に開口８０ａを設けるようにした。これに限らず、本発明では、図４（ｂ）に示すように、当該複数の基材のうち第２の基材８１に開口８１ａを設け、或いは、図４（ｃ）に示すように、当該複数の基材のうち第３の基材８２に開口８２ａを設けるようにしても構わない。なお、図４（ｂ）及び図４（ｃ）は、それぞれ、図４（ａ）に対応する偏心型の振動板８の要部断面図である。また、本発明では、上記したようにスピーカー装置１００の感度低下を防止する観点から、そのような開口は積層体８ａを貫通していなければよいので、そのような開口は積層体８ａを構成する複数の基材のうち少なくとも１つの基材に設けられていればよい。
【００６４】
また、上記の実施例では、偏心型の振動板８の慣性モーメントのアンバランスを是正する役割を有する開口は、円形の平面形状となるように形成したが、本発明では、当該開口の形状に限定はない。例えば、本発明では、図５に示すように、意匠性を高めるために、積層体８ａを構成する複数の基材のうち、放音面となる基材、即ち、本例では第３の基材８２に文字、図形、模様等及びそれらの組み合わせからなるロゴなどの意匠性を有する開口８２ｘを設けるようにしても構わない。また、この場合、その意匠性を有する開口８２ｘは、図５に示すように、積層体８ａの中心Ｏ２と取付孔８ｃの中心Ｏ１とを通る直線Ｌ３に対して対称的な形状となるように形成されているのが好ましい。これにより、偏心型の振動板８ｘの形状に起因して発生する慣性モーメントのアンバランスを改善できる。
【００６５】
また、上記の実施例では、偏心型の振動板８を構成する積層体８ａは、第１の基材８０、第２の基材８１、及び第３の基材８２による３層構造を有していたが、これに限らず、本発明では、偏心型の振動板８を構成する積層体は、少なくとも２層構造を有して構成されていればよい。
【図面の簡単な説明】
【００６６】
【図１】本発明の実施例に係る偏心型の振動板を有するスピーカー装置の断面図を示す。
【図２】本実施例に係る偏心型の振動板の放音面と逆側から観察したときの斜視図を示す。
【図３】本実施例に係る偏心型の振動板の放音面と逆側から観察したときの平面図を示す。
【図４】本実施例に係る偏心型の振動板の開口を通る位置で切断した各種の要部断面図を示す。
【図５】変形例に係る振動板の放音面から観察したときの平面図を示す。
【符号の説明】
【００６７】
８  偏心型の振動板
８ａ  積層体
８ｂ  内周縁部
８ｃ  取付孔
８ｄ  外周部
８０  第１の基材
８１  第２の基材
８２  第３の基材
８０ａ、８１ａ、８２ａ  開口
１００  スピーカー装置
【図１】
0004681499.tif 000002
【図２】
0004681499.tif 000003
【図３】
0004681499.tif 000004
【図４】
0004681499.tif 000005
【図５】
0004681499.tif 000006